(57)【要約】１つのページャ通信システムエリアＡｋ内には複数の基地局ＢＳ（ＢＳ１、ＢＳ２、ＢＳ３）、ページャ基地局１３ｋおよび複数の携帯通信端末のグループＧ１、Ｇ２、Ｇ３、Ｇ４、Ｇ５が設けられている。携帯通信端末はセルラー無線通信機とページャ受信機とを有する。各グループには複数の携帯通信端末１が含まれるが、同一の電話回線を使用する。各携帯通信端末のセルラー無線通信機は同一の電話回線を使用し、ページャ受信機は同一のページャ通信回線を使用する。各携帯通信端末１は互いに異なるＩＤを有する。各グループにおいていずれか１台の携帯通信端末１が通信を開始すると、その携帯通信端末の位置情報をＶＬＲに登録する。また同一グループ内の他の携帯通信端末１が通信を開始しようとしたときは位置登録を拒否する。
2002052882.tif 000002
【特許請求の範囲】
【請求項１】
グループ化されている複数の無線通信装置のセルラー無線機のセルラー電話番号を、それぞれ対応するページャ受信機のページャ番号と共に記憶している記憶部と、
該記憶手段に記憶されているセルラー電話番号への着呼に対して、対応するページャ受信機を呼び出すページャ呼出手段と、
該ページャ呼出手段による呼出の後に、前記セルラー電話番号のセルラー無線機を呼び出すセルラー呼出手段と、
を備えることを特徴とする無線通信制御局装置。
【請求項２】
前記記憶部は、１グループ内の無線通信装置に同一のセルラー電話番号及び同一のページャ番号を割り当てて記憶していることを特徴とする請求項１記載の無線通信制御局装置。
【請求項３】
前記記憶部は、１グループ内の無線通信装置に異なるセルラー電話番号及び同一のページャ番号を割り当てて記憶していることを特徴とする請求項１記載の無線通信制御局装置。
【請求項４】
前記記憶部は、１グループ内の無線通信装置に同一のセルラー電話番号及び異なるページャ番号を割り当てて記憶していることを特徴とする請求項１記載の無線通信制御局装置。
【請求項５】
前記記憶部は、１グループ内の無線通信装置に異なるセルラー電話番号及び異なるページャ番号を割り当てて記憶していることを特徴とする請求項１記載の無線通信制御局装置。
【請求項６】
前記記憶部にグループ化されて記憶されているセルラー無線機に発呼又は着呼があったときは、該セルラー無線機が属するグループ内の他のセルラー無線機の位置情報が登録されていない場合に、前記発呼又は着呼があったセルラー無線機の位置情報を登録する位置登録手段をさらに備えることを特徴とする請求項１記載の無線通信制御局装置。
【請求項７】
前記位置登録手段は、前記セルラー無線機の通信が終了したときに、前記位置情報の登録を削除することを特徴とする請求項６記載の無線通信制御局装置。
【請求項８】
前記ページャ呼出手段は、前記位置登録手段により位置情報が登録されているときに、同一グループ内の他のセルラー無線機に発呼又は着呼があった場合に、該位置情報が登録されているセルラー無線機にその旨を通知することを特徴とする請求項６記載の無線通信制御局装置。
【請求項９】
前記位置情報登録手段は、前記グループ内の特定の１のセルラー無線機（以下、「優先端末」という。）については通信が終了した後も電源が切断されるまで前記位置情報の登録を保持し、他のセルラー無線機（以下、「非優先端末」という。）については通信が終了したときに前記位置情報の登録を削除することを特徴とする請求項６記載の無線通信制御局装置。
【請求項１０】
前記ページャ呼出手段は、前記非優先端末に発呼又は着呼があったとき、該発呼又は着呼を前記優先端末に通知することを特徴とする請求項９記載の無線通信制御局装置。
【請求項１１】
セルラー無線機及びページャ受信機を搭載した複数の無線通信装置であって、前記各セルラー無線機は同一のセルラー電話番号を有するか、又は、前記ページャ受信機は同一のページャ番号を有することを特徴とする複数の無線通信装置。
【発明の詳細な説明】
技術分野
本発明は、無線通信制御局装置及び無線通信装置に関する。
背景技術
ＰＤＣ（Ｐｅｒｓｏｎａｌ　Ｄｉｇｉｔａｌ　Ｃｅｌｌｕｌａｒ）等の移動体通信システムにおいては、移動体通信端末の位置を登録するＶＬＲ（Ｖｉｓｉｔｏｒ　Ｌｏｃａｔｉｏｎ　Ｒｅｇｉｓｔｅｒ）、およびユーザの課金情報等を登録するＨＬＲ（Ｈｏｍｅ　ｌｏｃａｔｉｏｎ　Ｒｅｇｉｓｔｅｒ）の２つのデータベースを備え、移動体通信端末ごとにこれらデータベースによる管理を行う。このユーザ情報管理コストは使用頻度には無関係に発生し、所謂基本料金に反映する。これは使用頻度の低いユーザにとって不経済である。
一方、短文メッセージを送ることができるページャ通信システム（無線呼出しシステム、ポケットベル）は、移動通信の中で最も広くエリアをカバーするシステムである。ページャ通信システムのサービスエリアは、おおむね都道府県単位の地域サービスから始まり、ワイドエリアサービス、マルチエリアサービスなど、広範囲なエリアのサービスが行われている。ページャ通信システムのサービスエリアには通常１つのページャ中央局と複数のページャ基地局が配置されている。発信者がページャ受信機（無線呼出し受信機）の呼出し番号をダイアルすると、ページャ中央局内のページャ装置に接続され、ページャ装置は、対応するページャ受信機を識別するアドレス信号と入力されたメッセージ信号を各ページャ基地局に送る。各ページャ基地局に送られた信号は、無線信号に変換され、各局から同一無線周波数で一斉に同時送信される。ページャ受信機は、受信した選択呼出し信号中に自己のアドレス信号があれば、鳴音するとともにメッセージ信号をデコードし、内容を表示する。
また受信機の消費電力を低減するために間欠受信が行われており、ページャ通信システムでは、高い間欠受信比率が実現され、非常に低消費電力となっている。
しかしセルラー通信システムの急速な普及により、近年ページャ通信システムユーザ数は激減し、そのインフラストラクチャは有効利用されていない。
なおページャ通信システムでは、ページャ受信機に送信機構がないため、ユーザが位置登録を行う必要がある。ユーザがエリアを移動する際には、電話機を使用して、登録代表番号を呼出し、自分の呼出し番号、移動したいエリアの番号を入力する。これにより、中央局に転送先のエリア情報が記憶される。
ここでセルラー通信システムにおける携帯電話機（携帯通信端末）の基本的なシグナリング機能について、図１７の動作状態遷移図を参照しつつ説明する。
１５１で携帯通信端末の電源が投入されると、まず位置登録１５２を行う。ここで、携帯通信端末がどこにあってもネットワーク側から着信のための呼出を行えるようにするため、携帯通信端末をネットワーク側に登録する。報知チャンネルを介して放送される位置（エリア）情報が変化すると携帯通信端末は位置登録を行う。
携帯通信端末は、位置登録１５２後、待受け状態１５３に移行する。セルラー通信システムでは、ページングチャンネル（ＰＣＨ：一斉呼出チャンネル）を設けることにより、携帯通信端末は、この待受け状態１５３において、それぞれ属する一斉呼出しチャンネルに同期をとって間欠受信を行う。一斉呼出しチャンネルを受信していない期間では無線部の電源は断となっているので、電力消費を低減することができる。
開始ボタンなどが操作され発呼を行うときには、発呼状態１５４に移行する。ここで、基地局に対し発呼信号を送信し、通話チャンネルの割り当てを受け、通信状態１５６に移行して、通信を行う。また、前記一斉呼出しチャンネルを介して着呼信号を受け取ったときは、着呼状態１５５となり、呼出しに対する応答を行ない、指定された通話チャンネルに移行して、通信状態１５６となる。また、通話中にセルをまたいで移動した場合等には、チャンネル切替え１５７が行われる。そして、通話が終了すると、切断１５８を行い、前記待ち受け状態１５３に復帰する。
近年、ＰＤＣ、セルラー式移動体通信端末等の携帯端末の利用者が急激に増加している。１家族において複数の携帯通信端末を保有する場合がある。例えば家族の構成員がそれぞれ自身の携帯通信端末を有する場合がある。このような場合でも、各携帯通信端末毎に通信事業者と契約し、毎月、基本料金を支払わなければならない。家族の構成員のなかには、頻繁に携帯通信端末を利用する者もいるが、利用頻度が低い者もいる。従って、全ての携帯通信端末に対して、基本料金を支払うのは、経済的に問題である。
本発明は使用頻度の高くないユーザの基本料金部分の費用食担を軽減するとともに、ページャ通信システムを有効活用し得る無線通信制御局装置および無線通信装置を提供することを目的とする。
発明の開示
本発明によると、無線通信制御局装置は、グループ化されている複数の無線通信装置のセルラー無線機のセルラー電話番号を、それぞれ対応するページャ受信機のページャ番号と共に記憶している記憶部と、
該記憶手段に記憶されているセルラー電話番号への着呼に対して、対応するページャ受信機を呼び出すページャ呼出手段と、
該ページャ呼出手段による呼出の後に、前記セルラー電話番号のセルラー無線機を呼び出すセルラー呼出手段と、
を備える。
前記記憶部は、１グループ内の無線通信装置に同一のセルラー電話番号及び同一のページャ番号を割り当てて記憶している。
前記記憶部は、１グループ内の無線通信装置に異なるセルラー電話番号及び同一のページャ番号を割り当てて記憶している。
前記記憶部は、１グループ内の無線通信装置に同一のセルラー電話番号及び異なるページャ番号を割り当てて記憶している。
前記記憶部は、１グループ内の無線通信装置に異なるセルラー電話番号及び異なるページャ番号を割り当てて記憶している。
本発明によると、前記記憶部にグループ化されて記憶されているセルラー無線機に発呼又は着呼があったときは、該セルラー無線機が属するグループ内の他のセルラー無線機の位置情報が登録されていない場合に、前記発呼又は着呼があったセルラー無線機の位置情報を登録する位置登録手段をさらに備える。
前記位置登録手段は、前記セルラー無線機の通信が終了したときに、前記位置情報の登録を削除する。
前記ページャ呼出手段は、前記位置登録手段により位置情報が登録されているときに、同一グループ内の他のセルラー無線機に発呼又は着呼があった場合に、該位置情報が登録されているセルラー無線機にその旨を通知する。
前記位置情報登録手段は、前記グループ内の特定の１のセルラー無線機（以下、「優先端末」という。）については通信が終了した後も電源が切断されるまで前記位置情報の登録を保持し、他のセルラー無線機（以下、「非優先端末」という。）については通信が終了したときに前記位置情報の登録を削除する。
前記ページャ呼出手段は、前記非優先端末に発呼又は着呼があったとき、該発呼又は着呼を前記優先端末に通知する。
本発明によると、セルラー無線機及びページャ受信機を搭載した複数の無線通信装置であって、前記各セルラー無線機は同一のセルラー電話番号を有するか、又は、前記ページャ受信機は同一のページャ番号を有する。
発明を実施するための最良の形態
図１に示すように、本発明の無線通信装置（携帯通信端末）１は、ページャ通信システム用受信機（ページャ受信機）２、セルラー通信システム用無線機（セルラー無線機）３、および、この無線通信装置１全体の制御を行うとともに、前記ページャ受信機２およびセルラー無線機３に対する電源の投入／切断を制御する制御部４を有している。そして、ページャ通信システムを介して送信された信号に応答して、前記セルラー無線機３の電源を投入することができるように構成されている。
図２は本発明の無線通信制御局装置を含む無線通信システム全体の概略構成を示す図である。図２において、１は前述したページャ受信機２とセルラー無線機３とを内蔵している本発明の無線通信装置（携帯通信端末）である。
ＭＳＣｋ、ＭＳＣｋ＋１、ＭＳＣｋ＋２は制御局であり、これら制御局には、ページャ通信システム（ページング）の中央局の機能を有するページャ中央局部１１ｋ、１１ｋ＋１、１１ｋ＋２およびセルラー通信システムにおける制御局の機能を有するセルラー通信システム制御局部１２ｋ、１２ｋ＋１、１２ｋ＋２がそれぞれ設けられている。制御局ＭＳＣｋ、ＭＳＣｋ＋１、ＭＳＣｋ＋２はページャ通信システムエリアＡｋ、Ａｋ＋１、Ａｋ＋２にそれぞれ対応しており、また制御局ＭＳＣｋ、ＭＳＣｋ＋１、ＭＳＣｋ＋２は公衆網に接続されている。
各ページャ中央局部１１ｋ、１１ｋ＋１、１１ｋ＋２にはページャ基地局１３ｋ、１３ｋ＋１、１３ｋ＋２がそれぞれ接続されており、これらページャ基地局１３ｋ、１３ｋ＋１、１３ｋ＋２はページャ通信システムエリアＡｋ、Ａｋ＋１、Ａｋ＋２にそれぞれ対応している。各ページャ通信システムエリアＡｋ、Ａｋ＋１、Ａｋ＋２内には複数のセルラー基地局ＢＳが設けられ、各セルラー通信システム制御局部１２ｋ、１２ｋ＋１、１２ｋ＋２はそれぞれページャ通信システムエリアＡｋ、Ａｋ＋１、Ａｋ＋２内の複数のセルラー基地局ＢＳに接続されている。
制御局ＭＳＣｋ、ＭＳＣｋ＋１、ＭＳＣｋ＋２には携帯通信端末１の位置を登録するＶＬＲ（Ｖｉｓｉｔｏｒ　Ｌｏｃａｔｉｏｎ　Ｒｅｇｉｓｔｅｒ）、およびユーザの課金情報等を登録するＨＬＲ（Ｈｏｍｅ　ｌｏｃａｔｉｏｎ　Ｒｅｇｉｓｔｅｒ）が設けられている。ＶＬＲ、ＨＬＲは相互に接続され、情報を共有する。
図３は１つのページャ通信システムエリアＡｋ内の複数のセルラー基地局ＢＳ（ＢＳ１、ＢＳ２、ＢＳ３）、ページャ基地局１３ｋおよび複数の携帯通信端末のグループＧ１、Ｇ２、Ｇ３、Ｇ４、Ｇ５を示す。本例によると、このように、複数の携帯通信端末１がグループ化されている。１グループに対して１電話回線及び１ページャ通信回線が割り当てられる。従って、各グループに含まれる複数の携帯通信端末１のセルラー無線機３は同一の電話回線を使用する。各グループに含まれる複数の携帯通信端末１のページャ受信機２は同一のページャ番号を使用する。
制御局ＭＳＣｋは、１のグループ内のいずれか１台の携帯通信端末１が電源を投入すると、その携帯通信端末の位置情報をＶＬＲに登録する。また同一グループ内の他の携帯通信端末１が通信を開始しようとしたときは位置登録を拒否するとともに、その携帯通信端末の表示部は、その旨を表示する。
図４〜図７を参照してＨＬＲに登録されたデータベースの例を示す。図４はＨＬＲに登録された携帯通信端末の情報の第１の例を示す。この例では、グループ内の全ての携帯通信端末１のセルラー電話番号およびページャ番号は同一であり、各携帯通信端末１には互いに異なるＩＤが付与されている。図５はＨＬＲに登録された携帯通信端末１の情報の第２の例を示す。この例では、グループ内の全ての携帯通信端末１のセルラー電話番号は互いに異なるが、ページャ番号は同一であり、各携帯通信端末１には互いに異なるＩＤが付与されている。図６はＨＬＲに登録された携帯通信端末１の情報の第３の例を示す。この例では、グループ内の全ての携帯通信端末１のセルラー電話番号は同一であるが、ページャ番号は互いに異なり、各携帯通信端末１には互いに異なるＩＤが付与されている。図６はＨＬＲに登録された携帯通信端末１の情報の第４の例を示す。この例では、グループ内の全ての携帯通信端末１のセルラー電話番号およびページャ番号は互いに異なり、各携帯通信端末１には互いに異なるＩＤが付与されている。
図８を参照して、図４の第１の例及び図６の第３の例について、本例の携帯通信端末の接続を説明する。発呼側の携帯通信端末から図４又は図６に示す本例の携帯通信端末１のセルラー無線機３に発呼がなされると、制御局ＭＳＣｋ、ＭＳＣｋ＋１、ＭＳＣｋ＋２はＨＬＲに対して着呼者のセルラー電話番号が、図４又は図６に示したようにグループ化された携帯通信端末情報として登録されているか否かを照会する。ＨＬＲに着呼者のセルラー電話番号がグループ化されて登録されていない場合には、着呼者の携帯通信端末が通常のセルラー携帯通信端末であると判断して処理する。
ＨＬＲに着呼者のセルラー電話番号がグループ化されて登録されている場合には、制御局ＭＳＣｋ、ＭＳＣｋ＋１、ＭＳＣｋ＋２は発呼者に対して着呼者の携帯通信端末１のＩＤを要求する。図４又は図６の例では、グループ内のセルラー電話番号は全て同一であるから、制御局ＭＳＣｋ、ＭＳＣｋ＋１、ＭＳＣｋ＋２は１つのセルラー無線機３に対して接続を要求することができない。したがって、発呼者に対して着呼者のＩＤを要求し、それによって携帯通信端末１に接続を要求する。
制御局ＭＳＣｋ、ＭＳＣｋ＋１、ＭＳＣｋ＋２は、予めページャ通信システムを介して着呼者の携帯通信端末１のページャ受信機２に接続する。図４の例では、グループ内の全てのページャ番号は同一であるから、発呼者から受信したＩＤに基づいて着呼者のページャ受信機２に接続する。この接続された携帯通信端末１は、セルラー無線機３の電源を投入する。図６の例では、グループ内のページャ番号は異なるから、制御局ＭＳＣｋ、ＭＳＣｋ＋１、ＭＳＣｋ＋２は発呼者から受信したＩＤに基づいてページャ番号を特定して、特定した携帯通信端末１のページャ受信機２に対して接続して、その携帯通信端末１は、セルラー無線機３の電源を投入する。その後、図４及び図６のいずれの例の場合も、制御局ＭＳＣｋ、ＭＳＣｋ＋１、ＭＳＣｋ＋２は発呼者から受信した着呼者のＩＤに基づいて１つの携帯通信端末１のセルラー無線機３に接続する。
図９を参照して、図５の第２の例及び図７の第４の例について、本例の携帯通信端末の接続を説明する。発呼側の携帯通信端末から図５又は図７に示す本例の携帯通信端末１のセルラー無線機３に発呼がなされると、制御局ＭＳＣｋ、ＭＳＣｋ＋１、ＭＳＣｋ＋２はＨＬＲに対して着呼者のセルラー談話番号が、図５又は図７に示したようにグループ化された携帯通信端末情報として登録されているか否かを照会する。ＨＬＲに着呼者のセルラー電話番号がグループ化されて登録されていない場合には、着呼者の携帯通信端末が通常のセルラー携帯通信端末であると判断して処理する。
ＨＬＲに着呼者のセルラー電話番号がグループ化されて登録されている場合に、図５の例では、グループ内のセルラー電話番号は全て異なるから、制御局ＭＳＣｋ、ＭＳＣｋ＋１、ＭＳＣｋ＋２はセルラー電話番号に基づいてＩＤを生成する。図７の例では、グループ内のセルラー電話番号及びページャ番号は全て異なるから、制御局ＭＳＣｋ、ＭＳＣｋ＋１、ＭＳＣｋ＋２はＩＤを利用するまでもなく携帯通信端末１を個々に識別することができる。
制御局ＭＳＣｋ、ＭＳＣｋ＋１、ＭＳＣｋ＋２は、予めページャ通信システムを介して着呼者の携帯通信端末１のページャ受信機２に接続する。図５の例では、グループ内の全てのページャ番号は同一であるから、セルラー電話番号に対応するＩＤに基づいて着呼者のページャ受信機２に接続する。この接続された携帯通信端末１は、セルラー無線機３の電源を投入する。図７の例では、グループ内のセルラー電話番号及びページャ番号は全て異なるから、制御局ＭＳＣｋ、ＭＳＣｋ＋１、ＭＳＣｋ＋２はセルラー電話番号に基づいてページャ番号を特定して、特定した携帯通信端末１のページャ受信機２に対して接続して、その携帯通信端末１は、セルラー無線機３の電源を投入する。その後、図５及び図７のいずれの例の場合も、制御局ＭＳＣｋ、ＭＳＣｋ＋１、ＭＳＣｋ＋２はセルラー電話番号に基づいて１つの携帯通信端末１のセルラー無線機３に接続する。
着呼者の無線通信装置（携帯通信端末）１のセルラー無線機３の接続に関しては、以下に説明する。本例では、セルラー通信システムとページャ通信システムを併用することにより、現在ユーザ数が激減したページャ通信システムの有効活用を図ることができる。
図１０に示すように、本発明の無線通信装置１の動作が開始されると、まず、前記セルラー無線機３の電源が投入された後（６１）、セルラー通信システムの位置登録が可能か否かを判定する（６２）。同一グループ内の他の無線通信装置１が既に通信を確立していれば新たな位置登録は不可能であり、その場合にはその無線通信装置１の表示部５６に位置登録不可のメッセージを表示し（７１）、通信を終了する（７２）。
位置登録が可能であったときは、位置登録を行い（６３）、ページャ通信システムを介するセルラー無線機の呼出しがあるか否か判定する（６４）。電源投入直後は、この判定結果はＮＯとなる。
次に、現在位置がページャ通信システムのサービスエリア内であるか否かを判定する（６５）。この判定は、ＲＯＭあるいはＥＥＰＲＯＭ内に記憶しているページャ通信システムのエリアとセルラー通信システムのセルとの対応表を参照することにより行われる。
この判定の結果、ページャ通信システムのサービスエリア内でないときは、位置登録不可のメッセージを表示し表示部５６に表示して（８０）、電源を切断する（８１）。
なお、通信終了（７２）後は、前記ページャ通信システムのサービスエリア内であるか否かの判定（６５）に戻る。
一方、現在位置がページャ通信システムサービスエリア内である場合には、ページャ通信システムに対してエリア登録を行う（６６）。このエリア登録は、前記セルラー無線機３を介してセルラー通信システム経由で行う。すなわち、前記制御部４は、前記ページャ中央局部１１ｋに対するエリア登録信号を前記セルラー無線機３に供給し、前記セルラー無線機３を介して送信する。セルラー基地局で受信され、前記セルラー通信システム制御局部１２ｋに送られたエリア登録信号は、前記セルラー通信システム制御局部１２ｋから前記ページャ中央局部１１ｋに通知される。このようにして、ページャ通信システムのエリア登録が、セルラー通信システムを介して、自動的に行われる。
なお、上では、携帯通信端末１からページャ通信システムの中央局に対してエリア登録信号を送ってエリア登録を行うようにしたが、前記制御局ＭＳＣｋにおいて、記憶しているページャ通信システムのエリアとセルラー通信システムのセルとの対応関係を示す対応表を用いて、制御局ＭＳＣｋにおいて自動的にエリア登録するようにしてもよい。すなわち、前記セルラー通信システムの位置登録（６３）が行われたときに、前記エリアとセルとの対応表および前記電話番号、ページャ番号およびＩＤの対応表を参照して、位置登録（６３）されたセルに対応するエリアにそのページャ番号を自動的に登録するようにしてもよい。
次に、前記ページャ受信機の電源を投入し（６６）、前記セルラー無線機の電源を遮断する（６８）。そして、ページャ通信システムの待ち受け状態となる（６９）。
この待ち受け状態（６９）において前記ページャ通信システムを介して呼出しがあったときは、その呼出しの種類（メッセージの種類）について判定し（７０）、通常のページングサービスの呼出しであるときは、通常のページングサービスの受信を行い（７９）、受信終了後（７８）、前記ページャ通信システムの待ち受け状態（６９）に移行する。一方、前記セルラー無線機に対する呼出し（セルラー無線機への着呼要求、セルラー無線機３の電源を投入することを指示するメッセージ）であるときには、セルラー無線機３の電源を投入し（６１）、位置登録が可能なときは位置登録（６３）を行う。そして、セルラー無線機への呼出しであるとき（６４）は、セルラー通信システムの待ち受け（７３）に移行し、一斉呼出チャンネルを受信して自己に対する呼出し信号を受信し（７５）、呼出しに対する応答信号を送信した後、指定された通信チャンネルで通信を行う（７６）。そして、必要に応じてチャンネル切替え（７７）を行い、通信終了（７２）後、前記ページャ通信システムのサービスエリア内であるか否かの判定（６５）に戻る。
図１０では、（６５）において携帯通信端末がサービスエリア内に存在しなかった場合、メッセージ（８０）後に通信を終了（８１）したが、図１１に示すように、同様のメッセージ（８０）の後に、ページャ基地局（１３ｋ等）からの位置情報信号を間欠受信しつつ、受信を待つ（８１Ｂ）こととしてもよい。位置情報データを受信したときには（６６）に戻り、以下図１０と同様の処理を行う。
図１２に示すように、前記制御局ＭＳＣｋでは、セルラー無線機への着呼があった場合（９１）、このセルラー無線機が前記グループ（図４〜図７）に登録されているか否かを判定する（９２）。前述のように、本発明の無線通信装置１は、ページャ通信システムのサービスエリア内に位置しているときには、セルラー通信システムを介して自動的にそのサービスエリアにエリア登録を行うように構成されている。そこで、制御局ＭＳＣｋでは、前記ページャ番号と電話番号の対応表を参照して、着呼のあった電話番号に対応するページャ番号を知り、前記ページャ中央局部１１ｋで、そのページャ受信機がページャ通信システムにエリア登録されているかどうかを判定する。一方着呼のあった電話番号に対応する番号を有するページャ受信機がグループ登録されていないときには、通常のセルラー通信システムにおける着呼の場合と同様に処理する（９３）。
グループ登録されていた場合において、その電話番号のＶＬＲへの位置登録が可能か否か判定する（９４）。図３に関連して説明したように同一グループ内の他の携帯通信端末が既に位置登録されていたときには位置登録は不可能である。位置登録が不可能であったときは、発呼者の通信装置において位置登録不可のメッセージを表示させる（９５）。位置登録可能のとき、図４及び図６の例では、同一電話番号に対して複数の携帯通信端末が存在し、それをＩＤによって特定する必要があるため、制御局は発信者においてＩＤの入力を促すメッセージを表示する（９６）。これに呼応してＩＤが入力され、それを制御局ＭＳＣｋが受信したときは（９７）、セルラー無線機に対する着呼信号をページャ通信システム用の信号（対応する受信機のアドレス信号とセルラー無線機３の電源の投入を指示するメッセージ）に変換し（９８）、前記ページャ通信システムを介して呼出しを行う。すなわち、前記ページャ中央局部１１ｋは、前記着呼のあったセルラー無線機に対応するページャ受信機に対して、セルラー無線機への着呼があることを示す情報（あるいは、セルラー無線機３の電源投入を指示するメッセージ）を前記ページング基地局１３を介して送信する（９９）。これにより、携帯通信端末１におけるセルラー無線機３の電源を投入し、セルラー無線機３は初期セルサーチおよび位置登録を行い、一斉呼出チャンネルの受信を開始することとなる（１００）。尚、図５及び図７の例では、携帯通信端末の電話番号が互いに異なるから、データベースよりＩＤを生成することができる。従って、（９６）と（９７）のステップは不要である。
次に、前記セルラー通信システム制御局部１２ｋは、前記セルラー通信システムの一斉呼出チャンネルを介しても当該セルラー無線機の呼出しを行う（１０１）。
これにより、セルラー無線機３は、一斉呼出チャンネルを受信して自局に対する着呼信号を受信し、通信を行うことができるようになる。
その後通信の終了を監視し（１０２）、通信終了時に位置登録を削除すべきか否か判断する（１０３）。一旦位置登録した携帯通信端末の位置登録をそのまま保持するとその後同一グループの他の携帯通信端末は位置登録できなくなるため、グループ内の全ての携帯通信端末の使用頻度を高めようとすれば、通信終了後直ちに位置登録を削除するのが好ましい。しかし、位置登録を保持しておけば同一携帯通信端末を縦続して使用するときに接続処理が迅速に行われるという利点がある。なお位置登録を保持しておき、他の携帯通信端末に発呼または着呼があったとき、ページャ通信システムを介して、それを位置登録された携帯通信端末に通知して、電源切断を求め得るようにすることも可能である。
ここではユーザあるいは通信サービス会社によって位置登録削除を行うか否か設定しておき、削除すべきときは位置登録削除の処理を行う（１０４）。
なお１グループ内の携帯通信端末に１台の優先的な携帯通信端末（以下優先端末という。）を定めておき、その携帯通信端末については、電源を切断しない限り位置登録を保持してもよい。例えば１家族において、母親の携帯通信端末を優先端末とすれば、母親は他の家族の携帯通信端末の使用をコントロールし得る。母親は他の家族が携帯端末の使用を許可するときのみに、優先端末の電源を切断すればよい。
さらに、このような優先携帯の位置登録が為されているとき、他の携帯通信端末の発呼または着呼を、ページャ通信システムを介して優先端末に通知し、優先端末の許可（優先端末の電源切断）を求めるようにしてもよい。
上記図１２に示した制御局の動作は、ページャ通信システムを介してセルラー無線機３を呼出すときに、ただ単に、セルラー無線機３の電源を投入するだけであった。次に、上記メッセージ以外にセルラー無線機３に必要なページング情報についてもページャ通信システムを介して送信するようにした実施の形態について説明する。
図１３は、他の実施の形態における制御部の動作の流れを示すフローチャートである。
図１３に示すように、制御局ＭＳＣｋでは、セルラー無線機３への着呼があったとき（１１１）に、そのセルラー無線機３がグループ登録されているか否かを判定し（１１２）、登録されていないときは通常のセルラー通信システムにおける着呼の場合と同様に処理する（１１３）。
グループ登録されていた場合において、その電話番号のＶＬＲへの位置登録が可能か否か判定する（１１４）。図１２と同様に同一グループ内の他の携帯通信端末が既に位置登録されていたときには位置登録は不可能である。位置登録が不可能であったときは、発呼者の通信装置において位置登録不可のメッセージを表示させる（１１５）。位置登録可能のとき、図４及び図６の例では、同一電話番号に対して複数の携帯通信端末が存在し、それをＩＤによって特定する必要があるため、制御局は発信者においてＩＤの入力を促すメッセージを表示する（１１６）。これに呼応してＩＤが入力され、それを制御局ＭＳＣｋが受信したときは（１１７）、ページャ通信システムを介してセルラー無線機３を呼び出す（１１８、１１９）。これにより、携帯通信端末１におけるセルラー無線機３の電源を投入し、セルラー無線機３は初期セルサーチおよび位置登録を行い、一斉呼出チャンネルの受信を開始することとなる（１２０）。尚、図５及び図７の例では、携帯通信端末の電話番号が互いに異なるから、データベースよりＩＤを生成することができる。従って、（１１６）と（１１７）のステップは不要である。
ここまでは、前記図１２に示した実施の形態と同様であるが、この実施の形態においては、セルラー無線機３の電源を投入することを指示するメッセージを送信してセルラー無線機３を呼び出した（１１９）後、セルラー無線機３に必要なページング情報を前記ページャ通信システムのメッセージとして送信する（１２１）。このページング情報は、前記ページャ受信機２から前記制御部４へ送られる。したがって、セルラー無線機３で一斉呼出チャンネルを受信する必要がなくなり、さらに、前記ページャ通信システムのエリアとセルラー通信システムのセルとの対応表を参照することにより、セルラー無線機３における初期セルサーチの範囲を絞ることが可能となり、高速なセルサーチが可能となる。
前記１２１でセルラー通信システムを介してセルラー無線機３に必要なページング情報を送信した後、前記セルラー通信システム制御局部１２ｋは、そのセルラー無線機３からの応答信号を待って受信し（１２２）、以下通信チャンネルに移行してセルラー通信システムの通信を行う。
その後通信の終了を監視し（１２３）、通信終了時に位置登録を削除すべきか否か判断する（１２４）。一旦位置登録した携帯通信端末の位置登録をそのまま保持するとその後同一グループの他の携帯通信端末は位置登録できなくなるため、グループ内の全ての携帯通信端末の使用頻度を高めようとすれば、通信終了後直ちに位置登録を削除するのが好ましい。しかし、位置登録を保持しておけば同一携帯通信端末を継続して使用するときに接続処理が迅速に行われるという利点がある。
なお位置登録を保持しておき、他の携帯通信端末に発呼または着呼があったとき、ページャ通信システムを介して、それを位置登録された携帯通信端末に通知して、電源切断を求め得るようにすることも可能である。
ここではユーザあるいは通信サービス会社によって位置登録削除を行うか否か設定しておき、削除すべきときは位置登録削除の処理を行う（１２５）。
なお図１２と同様、１グループ内の携帯通信端末に１台の優先的な携帯通信端末（以下優先端末という。）を定めておき、その携帯通信端末については、電源を切断しない限り位置登録を保持してもよく、また優先携帯の位置登録が為されているとき、他の携帯通信端末の発呼または着呼を、ページャ通信システムを介して優先端末に通知し、優先端末の許可（優先端末の電源切断）を求めるようにしてもよい。
このように、本発明の無線通信システムにおいては、電源投入後、ページャ通信システムのサービスエリア内に位置しているときには、ページャ通信システムに対してエリア登録を行い、セルラー無線機の電源を遮断してページャ受信機のみを動作させるようにして、ページャ通信システムの待ち受けによりセルラー通信システムの待ち受け動作を代替するようにしている。したがって、無線通信装置１の待ち受け時の電力消費を大幅に低減することができる。
またセルラー通信システムへの位置登録の頻度を減少し得るとともに、携帯通信端末１台あたりの経費を節減することができ、システム効率を向上し得る。また、ページャ通信システムを有効活用できる。
さらに、ページャ通信システムのエリア登録をセルラー通信システムを介して自動的に行うことが可能となり、ユーザによるページャ通信システムへのエリア登録の必要をなくすことができる。
なお、上記において、ページャ通信システムを介してセルラー無線機３に対する電源の投入を指示するメッセージを送ることにより、セルラー無線機３に対する着呼があることを報知していたが、これに限られることなく、着呼があることを報知するコマンドあるいは所定のコードを定めておき、これをセルラー無線機３に対する着呼があることを報知するために用いるようにしてもよい。
また上記においては、ページャ通信システムへのエリア登録の後にページャ受信機の電源を投入し（図１０、図１１の６６、６７）、それ以降、常にページャ受信機の電源は投入されているようにしたが、ノイズを避けるために同時にどちらか一方しか動作させないようにすることもできる。
さらに、前述のように、セルラー無線機への着呼があり、ページャ通信システムを介して呼び出したいときに、同一グループの他のセルラー無線機が使用中であったり、空きチャンネルがないなどの事情によりセルラー無線機３が通信できない場合、表示部に着信があったことを表示しておくようにすることも可能である。
さて、上記無線通信システムにおいては、前記制御局ＭＳＣｋ側における処理が必要であった。そこで、前記制御局ＭＳＣｋにおける処理が不要で、端末事業者単独で実施することのできる本発明の他の実施の形態について説明する。この場合には、前述のようなページャ中央局部１１ｋおよびセルラー通信システム制御局部１２ｋが設けられた制御局ＭＳＣｋは必要とされず、既存のページャ通信システムおよびセルラー通信システムに適用することができる。ただし、通信装置（電話機あるいは携帯電話機）には、電話番号（セルラー無線機番号）、そのセルラー無線機がページャ受信機が搭載された本発明の無線通信装置であるか否かを示す情報およびその対応するページャ番号、およびＩＤを記録した電話帳情報、さらに、前記本発明の無線通信装置１に対して前記セルラー無線機３の電源を投入することを指示するメッセージをページャに送信する機能を搭載する。
図１４は、前記電話帳情報の１レコードのフォーマット例を示す図であり、この図に示すように、氏名別に、セルラー無線機の番号（電話番号）、ページャ受信機が搭載されているか否かを示すフラグＦ、ページャ番号、およびＩＤを記憶している。
また、この実施の形態における前記無線通信装置１の動作は、前記図１０及び図１１に示した状態遷移図とほぼ同様の動作でよい。ただし、制御局ＭＳＣｋによるページャ通信システムに対するエリア登録は行われない。
図１５は、このように構成された本発明の通信装置におけるセルラー無線機に対する発信時の動作フローチャートである。
まず通信装置に記憶されている前記電話帳情報から選択あるいは直接にセルラー電話番号、ＩＤを入力し（１３１）、そのセルラー無線機に対して発信する（１３２）。その結果、圏外、電源未投入あるいは同一グループの他の携帯通信端末１が使用中である場合等、通信できない旨のメッセージが受信されたときは発信を切断する（１３４）。一方、そのようなメッセージが受信されないときは、通常の場合と同様に通話を行う（１３９）。尚、図５及び図７の例では、携帯通信端末の電話番号が互いに異なるから、データベースよりＩＤを生成することができる。従って、（１３１）のステップにおけるＩＤの入力は不要である。
前記１３４でセルラー無線機に対する切断を行った後に、前記電話帳情報を参照して、そのセルラー電話番号がページャ受信機を搭載した本発明の無線通信装置１の電話番号であるか否かを判定する（１３５）。その結果、ページャ受信機を搭載していない携帯通信端末に対する電話番号であったときは、そのまま終了する（１４０）。
一方、対応するページャ番号が記憶されているときは、そのページャ電話番号に対して、前述したセルラー無線機３の電源投入を指示するメッセージを送信する（１３６）。これにより、前記図１０及び図１１に関して説明したように、セルラー無線機３の電源が投入され、セルラー無線機３は待ち受け状態となる。
通信装置は、前記１３６において相手先のセルラー無線機３の電源投入を指示してから、そのセルラー無線機３が待ち受け状態となるまでの時間に対応する所定時間待機（１３７）したのち、再度そのセルラー無線機３に対して発信を行う（１３８）。これにより、本発明の無線通信装置１におけるセルラー無線機３の電源が切断された状態にあったとしても、通話を行うことができるようになる。なお、前記無線通信装置１が圏外に位置している等、通信が不能の場合には、図１５の１３２〜１３８を所定回数繰り返したときに、処理を終了させるようにする。
このように本発明の通信装置を用いた場合には、前記無線通信システムのように、特別の制御局を設けることなく、携帯通信端末の待ち受け時の電力消費を低減することが可能となる。
なお電話帳情報は、図１４に例示したものに限られることはなく、少なくとも、セルラー無線機の番号と対応するページャ受信機の番号とＩＤが記録されたものであればよい。
さらに本発明に係る無線通信システムにおいて、各携帯通信端末の使用頻度を管理し、各グループにおける各携帯通信端末の使用頻度が均一になるようにユーザに対してメッセージ等を提供し、あるいは適宜使用制限を行えば、通信サービスを一層適正化し得る。また使用頻度の高いグループあるいは携帯通信端末に対して独立した電話番号取得を促すサービスを行ってもよい。
図１６を参照して、本発明の無線通信装置１の構成について詳細に説明する。ページャ受信機２のアンテナ２１で受信されたページャ基地局からの信号は、高周波増幅器２２で増幅された後、２分岐されて周波数変換部２３および２４に入力される。各周波数変換部２３、２４には、移相器２６を介して、９０度位相の異なる発振器２５からの搬送波信号周波数に等しい周波数の局部発信信号が供給されており、各周波数変換部２３、２４からのベースバンドに変換された出力はそれぞれフィルタ２７、２８およびリミッタ２９、３０を介して復調器３１に入力され、復調される。この復調信号は受信信号処理回路３２に供給され、自局のアドレス信号が検出されたときは、そのメッセージ信号は、制御部４に供給され、ページャ通信システムにおける通常の受信メッセージである場合には表示部５６に表示されることとなる。また、セルラー無線機３の電源を投入することを指示するメッセージであるときは、制御部４のセルラー無線機電源制御部５８によりセルラー無線機３の電源が投入されることとなる。なおここでは、ページャ受信機２として、上述のようなダイレクトコンバージョン方式のものを採用することとしたが、スーパーヘテロダイン方式のものとしてもよい。
セルラー無線機３において、アンテナ３３で受信されたセルラー基地局からの信号は、アンテナ共用器３４を介して受信部３５に入力される。そして、高周波増幅器３６で高周波増幅された後、受信ミキサ３７に入力される。受信ミキサ３７において周波数シンセサイザ４０からの局部発信信号により周波数変換され、中間周波増幅器３８を介して受信ミキサ３９にて復調される。自局に対する復調された受信信号はベースバンド信号処理部４１の受信信号処理回路４２にて信号処理され、受話器４３に出力され、あるいは制御部４を介して表示部５６に出力される。
一方、送話器４４からの音声信号あるいは制御部４からの入力データは、送信信号処理回路４５において信号処理された後、送信部４６に入力される。すなわち、送信信号処理回路４５の出力信号は変調器４７で所定の変調処理を施された後、前記周波数シンセサイザ４０からの信号が供給されて送信ミキサ４８で高周波信号に変換され、送信電力増幅器４９で増幅された後、前記アンテナ共用器３４を介して前記アンテナ３３から当該セルラー基地局に向け送信される。
制御部４において、５０はこの無線通信装置１全体の制御を行う主中央処理装置（主ＣＰＵ）、５１は制御プログラムや所定の定数などを記憶したＲＯＭ、５２はワークエリアとして使用されるＲＡＭ、５３は各種パラメータやテーブル類を格納するフラッシュメモリなどの電気的消去書込み可能なＲＯＭ（ＥＥＰＲＯＭ）、５４は、入力キー５５および表示部５６へのデータ出力を行う操作部ＣＰＵ、５７は前記ページャ受信機２に対する電源投入／切断を制御するページャ受信機電源制御部、５８は前記セルラー無線機３に対する電源投入／切断を制御するセルラー無線機電源制御部であり、これら各構成要素および前記ページャ受信機の受信信号処理回路３２並びに前記セルラー無線機のベースバンド信号処理部４１は、バス５９により相互に接続されている。
そして、この制御部４は、前記ページャ受信機２および前記セルラー無線機３における送受信シーケンス動作の制御、送受信信号の変復調、送受信プロトコルの制御などの制御を行うとともに、前述のように、前記ページャ通信システムの受信メッセージや前記セルラー無線機で受信された情報あるいは操作者に対する各種情報を前記表示部５６で表示するための処理、前記入力キー５５から入力する各種情報を前記表示部５６で表示するための処理、前記入力キー５５から入力されたデータを前記セルラー無線機のベースバンド信号処理部４１に出力する処理、前記ページャ受信機電源制御部５７と前記セルラー無線機電源制御部５８の処理、前記セルラー無線機３の電源を投入することを指示するメッセージが受信されたときに前記セルラー無線機電源制御部５８を介して前記セルラー無線機３の電源を投入する処理およびその他無線通信装置全体の動作の制御を行う。
また、前記ＲＯＭ５１あるいは前記ＥＥＰＲＯＭ５３には、ページャ通信システムのエリアとセルラー通信システムの各セル（あるいは位置登録エリア）との対応表が記録されている。
このように、本発明の無線通信装置１において、ページャ受信機２とセルラー無線機３およびそれらの電源の投入／切断を制御する電源制御部（５７、５８）を有しており、ページャ通信システムを介して送られるメッセージに応じてセルラー無線機３の電源を投入することができるようになされている。したがって、消費電力の非常に少ないページャ受信機２のみを使用して待ち受け動作を行い、必要に応じてセルラー無線機３の電源を投入させることが可能となり、待ち受け時の電力消費を大幅に低減することが可能となる。
なお携帯通信端末１としては、無線通信機能を有するＰＤＡ、エンベッドフォンその他の電話回線を有する無線通信装置を含み、上記構成に限定されるものではない。
産業上の利用の可能性
本発明によれば、使用頻度の高くないユーザの基本料金部分の費用負担を軽減するとともに、ページャ通信システムを有効活用し得る。
【図面の簡単な説明】
図１は本発明の無線通信装置（携帯通信端末）の概略構成を示す図である。
図２は本発明の無線通信制御局装置が含まれる通信システムについて説明するための図である。
図３は本発明の無線通信システムの１ページャ通信システムエリアを示す図である。
図４はＨＬＲのデータベースの第１の例を示す図である。
図５はＨＬＲのデータベースの第１の例を示す図である。
図６はＨＬＲのデータベースの第１の例を示す図である。
図７はＨＬＲのデータベースの第１の例を示す図である。
図８は本発明の無線通信制御局装置の動作を説明するための説明図である。
図９は本発明の無線通信制御局装置の動作を説明するための説明図である。
図１０は本発明の無線通信装置の動作を説明するための動作状態遷移図である。
図１１は本発明の無線通信装置の動作の変形例を説明するための動作状態遷移図である。
図１２は本発明の無線通信制御局装置の動作を説明するための図である。
図１３は本発明の無線通信制御局装置の動作の他の例を説明するための図である。
図１４は本発明の無線通信装置（携帯通信端末）に記憶される電話帳情報を説明するための図である。
図１５は本発明の無線通信装置（携帯通信端末）の動作を説明するためのフローチャートである。
図１６は本発明の無線通信装置（携帯通信端末）の構成例を示すブロック図である。
図１７は従来の携帯通信端末（携帯電話機）の動作を説明するための動作状態遷移図である。
符号の説明
１　無線通信装置（携帯通信端末）、２　ページャ受信機、３　セルラー無線機、４　制御部、ＭＳＣｋ、ＭＳＣｋ＋１、ＭＳＣｋ＋２　制御局、１１ｋ、１１ｋ＋１、１１ｋ＋２　ページャ中央局部、１２ｋ、１２ｋ＋１、１２ｋ＋２　セルラー制御局部、１３ｋ、１３ｋ＋１、１３ｋ＋２　ページャ基地局、ＢＳ　セルラー基地局
【図１】
2002052882.tif 000003
【図２】
2002052882.tif 000004
【図３】
2002052882.tif 000005
【図４】
2002052882.tif 000006
【図５】
2002052882.tif 000007
【図６】
2002052882.tif 000008
【図７】
2002052882.tif 000009
【図８】
2002052882.tif 000010
【図９】
2002052882.tif 000011
【図１０】
2002052882.tif 000012
【図１１】
2002052882.tif 000013
【図１２】
2002052882.tif 000014
【図１３】
2002052882.tif 000015
【図１４】
2002052882.tif 000016
【図１５】
2002052882.tif 000017
【図１６】
2002052882.tif 000018
【図１７】
2002052882.tif 000019
【国際調査報告】
2002052882.tif 000020
2002052882.tif 000021
2002052882.tif 000022
2002052882.tif 000023